(57)【要約】【課題】  メインスピーカーと、ＺＯＮＥ２スピーカーとに同じ音声信号を出力し、かつ、メインスピーカーに出力する音声信号には音声処理を実行する場合に、メインスピーカーに出力される音声信号のＺＯＮＥ２スピーカーに出力される音声信号に対する遅延を防止する。【解決手段】  ＡＶアンプ１は、音声入力端子と、メインルーム用の第１出力端子９と、ＺＯＮＥ２ルーム用の第２出力端子１１と、１つの音声信号を選択しＤＳＰ６に供給するセレクタ２、３と、１つの音声信号を選択しスイッチ部１６に供給するセレクタ４と、セレクタ２，３から供給された音声信号に音声処理をし、第１出力端子９およびスイッチ部１６に出力するＤＳＰ６と、セレクタ４からの音声信号又はＤＳＰ６からの音声信号の一方を選択し第２出力端子１１に出力するスイッチ部１６と、スイッチ部１６の選択状態を制御する制御部１２とを備える。【選択図】図１
2012015683.tif 000002
【特許請求の範囲】
【請求項１】
複数の音声入力端子と、
第１ルームに配置される第１スピーカーに対して音声信号を出力するための第１出力端子と、
第２ルームに配置される第２スピーカーに対して音声信号を出力するための第２出力端子と、
複数の前記音声入力端子に入力される音声信号の中から１つの音声信号を選択し、音声処理部に供給する第１選択部と、
複数の前記音声入力端子に入力される音声信号の中から１つの音声信号を選択し、第３選択部に供給する第２選択部と、
前記第１選択部から供給された音声信号に音声処理を実行し、前記第１出力端子および前記第３選択部に出力する前記音声処理部と、
前記第２選択部からの音声信号または前記音声処理部からの音声信号の一方を選択し、前記第２出力端子に出力する前記第３選択部と、
前記第３選択部の選択状態を制御する制御部とを備える、音声処理装置。
【請求項２】
第１モードを含む複数のリスニングモードの中からユーザ操作に応じて１つのリスニングモードを選択するモード選択手段をさらに備え、
前記制御部が、リスニングモードとして前記第１モードが選択されている場合、前記第３選択部に前記音声処理部からの音声信号を選択させ、リスニングモードとして前記第１モード以外のモードが選択されている場合、前記第３選択部に前記第２選択部からの音声信号を選択させる、請求項１に記載の音声処理装置。
【請求項３】
前記第２スピーカーに対する音声信号を前記第１スピーカーに対する音声信号と同じ音声信号とするか否かをユーザ操作に応じて設定する設定手段をさらに備え、
前記制御部が、前記設定手段が前記第２スピーカーに対する音声信号を前記第１スピーカーに対する音声信号と同じ音声信号とするように設定し、かつ、リスニングモードとして前記第１モードが選択されている場合、前記第３選択部に前記音声処理部からの音声信号を選択させ、前記設定手段が前記第２スピーカーに対する音声信号を前記第１スピーカーに対する音声信号と同じ音声信号とするように設定しない場合、又は、前記設定手段が前記第２スピーカーに対する音声信号を前記第１スピーカーに対する音声信号と同じ音声信号とするように設定するが、リスニングモードとして前記第１モード以外のモードが選択されている場合、前記第３選択部に前記第２選択部からの音声信号を選択させる、請求項２に記載の音声処理装置。
【請求項４】
複数のデジタル音声入力端子と、
複数のアナログ音声入力端子と、
第１ルームに配置される第１スピーカーに対して音声信号を出力するための第１出力端子と、
第２ルームに配置される第２スピーカーに対して音声信号を出力するための第２出力端子と、
複数の前記デジタル音声入力端子および前記アナログ音声入力端子に入力される音声信号の中から１つの音声信号を選択し、音声処理部に供給する第１選択部と、
複数の前記アナログ音声入力端子に入力される音声信号の中から１つの音声信号を選択し、第３選択部に供給する第２選択部と、
前記第１選択部から供給された音声信号に音声処理を実行し、前記第１出力端子および前記第３選択部に出力する前記音声処理部と、
前記第２選択部からの音声信号または前記音声処理部からの音声信号の一方を選択し、前記第２出力端子に出力する前記第３選択部と、
前記第３選択部の選択状態を制御する制御部とを備える、音声処理装置。
【請求項５】
請求項１〜４のいずれかに記載の音声処理装置の動作プログラムであって、
リスニングモードとして第１モードが選択されているか否かを判断するステップと、
リスニングモードとして前記第１モードが選択されていると判断された場合、前記第３選択部に前記音声処理部からの音声信号を選択させるステップと、
リスニングモードとして前記第１モード以外のモードが選択されていると判断された場合、前記第３選択部に前記第２選択部からの音声信号を選択させるステップとをコンピュータに実行させる、音声処理プログラム。
【発明の詳細な説明】
【技術分野】
【０００１】
本発明は、第１ルームに配置される第１スピーカーに対して音声信号を出力するための第１出力端子と、第２ルームに配置される第２スピーカーに対して音声信号を出力するための第２出力端子とを備える音声処理装置に関する。
【背景技術】
【０００２】
図３は、従来のＡＶアンプ１０１の構成を示すブロック図である。ＡＶアンプ１０１は、複数のＢＤ（ブルーレイディスク）プレーヤ２０Ａ、２０Ｂが接続され、ＢＤプレーヤ２０Ａ、２０Ｂからデジタル音声信号がデジタル音声入力端子ＩＮ１、ＩＮ２に入力され、アナログ音声信号がアナログ音声入力端子ＩＮ３、ＩＮ４に入力される。ＡＶアンプ１０１、ＢＤプレーヤ２０Ａ、２０Ｂ、メインスピーカー３０はメインルームに配置され、ＺＯＮＥ２スピーカー４０はＺＯＮＥ２ルームに配置されている。
【０００３】
まず、メインスピーカー３０に出力する音声信号について説明する。デジタル音声セレクタ２は、ＢＤプレーヤ２０Ａ、２０Ｂから供給されるデジタル音声信号の中から１つのデジタル音声信号を選択し、ＤＳＰ６に供給する。アナログ音声セレクタ３は、ＢＤプレーヤ２０Ａ、２０Ｂから供給されるアナログ音声信号の中から１つのアナログ音声信号を選択し、Ａ／Ｄコンバータ５に供給する。Ａ／Ｄコンバータ５は、アナログ音声信号をデジタル音声信号に変換し、ＤＳＰ６に供給する。実際には、デジタル音声セレクタ２又はアナログ音声セレクタ３のいずれか一方からのデジタル音声信号のみがＤＳＰ６に供給される。ＤＳＰ６は、供給されたデジタル音声信号に音声処理を実行し、Ｄ／Ａコンバータ７に供給する。Ｄ／Ａコンバータ７は、供給されたデジタル音声信号をアナログ音声信号に変換し、増幅部８に供給する。増幅部８は、供給された音声信号を増幅し、メインスピーカー用のスピーカー出力端子９を介して、メインスピーカー３０に音声信号を出力する。
【０００４】
次に、ＺＯＮＥ２スピーカー４０に出力する音声信号について説明する。アナログ音声セレクタ４は、ＢＤプレーヤ２０Ａ、２０Ｂから供給されるアナログ音声信号の中から１つのアナログ音声信号を選択し、増幅部１０に供給する。増幅部１０は、供給された音声信号を増幅し、ＺＯＮＥ２スピーカー用のスピーカー出力端子１１を介して、ＺＯＮＥ２スピーカー４０に音声信号を出力する。従って、ＺＯＮＥ２スピーカー４０には、アナログ音声セレクタ４からのアナログ音声信号しか出力できないようになっている。
【０００５】
ここで、メインルームが例えばリビングルームであり、ＺＯＮＥ２ルームがリビングルームに隣接するルーム（例えば、子供部屋や、キッチン等）であり、これらのルーム間のドアを開放し、メインルームおよびＺＯＮＥ２ルームを１つの大きなルームとして、パーティーを行うことがある。このとき、メインルームに配置されるメインスピーカーと、ＺＯＮＥ２ルームに配置されるＺＯＮＥ２スピーカーとに、ＢＤプレーヤ２０Ａまたは２０Ｂからの同じ音声信号をＢＧＭとして出力する場合が想定される。しかし、上記の通り、メインスピーカー３０に出力される音声信号はＤＳＰ６で音声処理が実行され、ＺＯＮＥ２スピーカー４０に出力される音声信号はＤＳＰで音声処理が実行されないので、メインスピーカー３０に出力される音声信号は、ＤＰＳ６での音声処理時間分だけ、ＺＯＮＥ２スピーカー４０に出力される音声信号に対して遅延が生じる。その結果、メインスピーカー３０から出力される音声信号と、ＺＯＮＥ２スピーカー４０から出力される音声信号とが同時に出力されなくなり、パーティーを行う場合に、リスナーに不快感を与えるという問題がある。
【０００６】
この問題を解決するために、アナログ音声セレクタ３から供給されるアナログ音声信号を、Ａ／Ｄコンバータ５、ＤＳＰ６およびＤ／Ａコンバータ７を経由させずに、増幅部８に直接供給し、メインスピーカー３０に出力する方法がある。しかし、この場合には、ＤＳＰ６によって、前方左音声信号ＦＬおよび前方右音声信号ＦＲのアナログ音声信号から、サラウンド音声信号（例えば、中央音声信号Ｃ、サラウンド左音声信号ＳＬ、サラウンド右音声信号ＳＲ、サブウーファ音声信号ＳＷ）を生成することができないので、メインスピーカー３０の内、これらのチャンネルのスピーカーから音声を出力することができない。また、メインスピーカー３０に対する音声入力をアナログ音声信号に限定する必要があり、デジタル音声信号を入力することができない。
【先行技術文献】
【特許文献】
【０００７】
【特許文献１】特開２００４―５６４１８号公報
【発明の概要】
【発明が解決しようとする課題】
【０００８】
本発明は上記従来の課題を解決するためになされたものであり、その目的は、第１ルームに配置された第１スピーカーと、第２ルームに配置された第２スピーカーとに同じ音声信号を出力し、かつ、第１スピーカーに出力する音声信号には音声処理を実行する場合に、第１スピーカーに出力される音声信号が第２スピーカーに出力される音声信号に対して遅延が生じることを防止する音声処理装置を提供することである。
【課題を解決するための手段】
【０００９】
本発明の好ましい実施形態による音声処理装置は、複数の音声入力端子と、第１ルームに配置される第１スピーカーに対して音声信号を出力するための第１出力端子と、第２ルームに配置される第２スピーカーに対して音声信号を出力するための第２出力端子と、複数の前記音声入力端子に入力される音声信号の中から１つの音声信号を選択し、音声処理部に供給する第１選択部と、複数の前記音声入力端子に入力される音声信号の中から１つの音声信号を選択し、第３選択部に供給する第２選択部と、前記第１選択部から供給された音声信号に音声処理を実行し、前記第１出力端子および前記第３選択部に出力する前記音声処理部と、前記第２選択部からの音声信号または前記音声処理部からの音声信号の一方を選択し、前記第２出力端子に出力する前記第３選択部と、前記第３選択部の選択状態を制御する制御部とを備える。
【００１０】
第３選択部が、制御部からの指示に応じて、音声処理部からの音声信号を選択し、第２出力端子に出力することにより、第１スピーカーに出力される音声信号と、第２スピーカーに出力される音声信号とは、同じ音声信号となり、同じ音声処理部で同じ音声処理が実行される。従って、第１ルームおよび第２ルームにおいて、第１スピーカーおよび第２スピーカーから同じ音声を再生する場合であっても、第１スピーカーに出力される音声信号が、第２スピーカーに出力される音声信号に対して遅延が生じることが防止される。また、第３選択部が、制御部からの指示に応じて、第２選択部からの音声信号を選択し、第２出力端子に出力することにより、第２スピーカーに出力される音声信号を、第１スピーカーに出力される音声信号と異ならせることができる。
【００１１】
好ましい実施形態においては、第１モードを含む複数のリスニングモードの中からユーザ操作に応じて１つのリスニングモードを選択するモード選択手段をさらに備え、前記制御部が、リスニングモードとして前記第１モードが選択されている場合、前記第３選択部に前記音声処理部からの音声信号を選択させ、リスニングモードとして前記第１モード以外のモードが選択されている場合、前記第３選択部に前記第２選択部からの音声信号を選択させる。
【００１２】
リスニングモードとして第１モードが選択されている場合、第３選択部が、制御部からの指示に応じて、音声処理部からの音声信号を選択し、第２出力端子に出力することにより、第１スピーカーに出力される音声信号と、第２スピーカーに出力される音声信号とは、同じ音声信号となり、同じ音声処理部で同じ音声処理が実行される。従って、第１スピーカーに出力される音声信号が、第２スピーカーに出力される音声信号に対して遅延が生じることが防止される。また、リスニングモードとして第１モード以外のモードが選択されている場合、第３選択部が、制御部からの指示に応じて、第２選択部からの音声信号を選択し、第２出力端子に出力することにより、第２スピーカーに出力される音声信号を、第１スピーカーに出力される音声信号と異ならせることができる。
【００１３】
好ましい実施形態においては、前記第２スピーカーに対する音声信号を前記第１スピーカーに対する音声信号と同じ音声信号とするか否かをユーザ操作に応じて設定する設定手段をさらに備え、前記制御部が、前記設定手段が前記第２スピーカーに対する音声信号を前記第１スピーカーに対する音声信号と同じ音声信号とするように設定し、かつ、リスニングモードとして前記第１モードが選択されている場合、前記第３選択部に前記音声処理部からの音声信号を選択させ、前記設定手段が前記第２スピーカーに対する音声信号を前記第１スピーカーに対する音声信号と同じ音声信号とするように設定しない場合、又は、前記設定手段が前記第２スピーカーに対する音声信号を前記第１スピーカーに対する音声信号と同じ音声信号とするように設定するが、リスニングモードとして前記第１モード以外のモードが選択されている場合、前記第３選択部に前記第２選択部からの音声信号を選択させる。
【００１４】
本発明の別の好ましい実施形態による音声処理装置は、複数のデジタル音声入力端子と、複数のアナログ音声入力端子と、第１ルームに配置される第１スピーカーに対して音声信号を出力するための第１出力端子と、第２ルームに配置される第２スピーカーに対して音声信号を出力するための第２出力端子と、複数の前記デジタル音声入力端子および前記アナログ音声入力端子に入力される音声信号の中から１つの音声信号を選択し、音声処理部に供給する第１選択部と、複数の前記アナログ音声入力端子に入力される音声信号の中から１つの音声信号を選択し、第３選択部に供給する第２選択部と、前記第１選択部から供給された音声信号に音声処理を実行し、前記第１出力端子および前記第３選択部に出力する前記音声処理部と、前記第２選択部からの音声信号または前記音声処理部からの音声信号の一方を選択し、前記第２出力端子に出力する前記第３選択部と、前記第３選択部の選択状態を制御する制御部とを備える。
【００１５】
本発明の別の好ましい実施形態による上記いずれかの音声処理装置の動作プログラムは、リスニングモードとして第１モードが選択されているか否かを判断するステップと、リスニングモードとして前記第１モードが選択されていると判断された場合、前記第３選択部に前記音声処理部からの音声信号を選択させるステップと、リスニングモードとして前記第１モード以外のモードが選択されていると判断された場合、前記第３選択部に前記第２選択部からの音声信号を選択させるステップとをコンピュータに実行させる。
【発明の効果】
【００１６】
第１ルームに配置された第１スピーカーと、第２ルームに配置された第２スピーカーとに同じ音声信号を出力し、かつ、第１スピーカーに出力する音声信号には音声処理を実行する場合に、第１スピーカーに出力される音声信号が第２スピーカーに出力される音声信号に対して遅延が生じることを防止することができる。
【図面の簡単な説明】
【００１７】
【図１】本発明の好ましい実施形態によるＡＶアンプ１の構成を示すブロック図である。
【図２】ＡＶアンプ１の制御部１２の処理を示すフローチャートである。
【図３】従来のＡＶアンプ１０１の構成を示すブロック図である。
【発明を実施するための形態】
【００１８】
以下、本発明の好ましい実施形態によるＡＶアンプ（音声処理装置）について、図面を参照して具体的に説明するが、本発明はこれらの実施形態には限定されない。図１は、ＡＶアンプ１を示す概略ブロック図である。ＡＶアンプ１には、ＢＤプレーヤ（コンテンツ再生装置）２０Ａ、２０Ｂがデジタル音声入力端子ＩＮ１、ＩＮ２、アナログ音声入力端子ＩＮ３、ＩＮ４に接続され、メインスピーカー（第１スピーカー）３０がスピーカー出力端子９に接続され、ＺＯＮＥ２スピーカー（第２スピーカー）４０がスピーカー出力端子１１に接続されている。ＡＶアンプ１、ＢＤプレーヤ２０Ａ、２０Ｂおよびメインスピーカー３０はメインルーム（第１ルーム）に配置され、ＺＯＮＥ２スピーカー４０はＺＯＮＥ２ルーム（第２ルーム）に配置されている。メインルームおよびＺＯＮＥ２ルームは、これらのルーム間のドアを閉めることによってルーム間を塞ぐことや、ドアを開けることによってルーム間を開放することができる。
【００１９】
特に限定されないが、メインスピーカーは、５．１チャンネル（例えば、前方左音声信号ＦＬ、前方右音声信号ＦＲ、中央音声信号Ｃ、サラウンド左音声信号ＳＬ、サラウンド右音声信号ＳＲ、サブウーファ音声信号ＳＷ）分または７．１チャンネル分のスピーカーを含む。ＺＯＮＥ２スピーカーは、２チャンネル（例えば、前方左音声信号ＦＬ、前方右音声信号ＦＲ）分のスピーカーを含む。
【００２０】
ＡＶアンプ１には、複数のリスニングモードが設けられており、ユーザ操作によって選択された１つのリスニングモードに応じて、ＤＳＰ６がデジタル音声信号に対して所定の音声処理を実行する。本例では、リスニングモードにはパーティーモード（第１モード）というモードが設けられている。パーティーモードとは、メインルームおよびＺＯＮＥ２ルーム間のドアを開けることによって各ルーム間を開放し、メインスピーカー３０およびＺＯＮＥ２スピーカー４０から同じ音声信号を再生する際に適したモードである。パーティーモードにおいては、ＺＯＮＥ２スピーカー４０にもメインスピーカー３０と同様にＤＳＰ６で音声処理を実行した音声信号を出力することにより、メインスピーカー３０に出力される音声信号がＺＯＮＥ２スピーカー４０に出力される音声信号に対して遅延が生じることを防止する。
【００２１】
ＡＶアンプ１は、デジタル音声入力端子ＩＮ１、ＩＮ２と、アナログ音声入力端子ＩＮ３、ＩＮ４と、デジタル音声セレクタ２と、アナログ音声セレクタ３、４と、Ａ／Ｄコンバータ５と、ＤＳＰ６と、Ｄ／Ａコンバータ７と、増幅部８と、メインスピーカー３０用のスピーカー出力端子９と、増幅部１０と、ＺＯＮＥ２スピーカー４０用のスピーカー出力端子１１と、制御部１２と、メモリ１３と、表示部１４と、操作部１５と、スイッチ部１６とを概略備えている。
【００２２】
デジタル音声入力端子ＩＮ１には、ＢＤプレーヤ２０Ａのデジタル音声出力端子が接続され、ＢＤプレーヤ２０Ａからデジタル音声信号が入力される。デジタル音声入力端子ＩＮ２には、ＢＤプレーヤ２０Ｂのデジタル音声出力端子が接続され、ＢＤプレーヤ２０Ｂからデジタル音声信号が入力される。アナログ音声入力端子ＩＮ３には、ＢＤプレーヤ２０Ａのアナログ音声出力端子が接続され、ＢＤプレーヤ２０Ａからアナログ音声信号が入力される。アナログ音声入力端子ＩＮ４には、ＢＤプレーヤ２０Ｂのアナログ音声出力端子が接続され、ＢＤプレーヤ２０Ｂからアナログ音声信号が入力される。
【００２３】
デジタル音声セレクタ２は、デジタル音声入力端子ＩＮ１に入力されたデジタル音声信号、および、デジタル音声入力端子ＩＮ２に入力されたデジタル音声信号の中から、ユーザ操作に応じて、１つのデジタル音声信号を選択し、ＤＳＰ（音声処理部）６に供給する。
【００２４】
アナログ音声セレクタ３は、アナログ音声入力端子ＩＮ３に入力されたアナログ音声信号、および、アナログ音声入力端子ＩＮ４に入力されたアナログ音声信号の中から、ユーザ操作に応じて、１つのアナログ音声信号を選択し、Ａ／Ｄコンバータ５に供給する。Ａ／Ｄコンバータ５は、アナログ音声セレクタ３から供給されたアナログ音声信号をデジタル音声信号にＡＤ変換し、ＤＳＰ６に供給する。
【００２５】
なお、実際には、デジタル音声セレクタ２から供給されるデジタル音声信号、および、アナログ音声セレクタ３からＡ／Ｄコンバータ５を介して供給されるデジタル音声信号のうち、ユーザ操作に応じて選択された一方のデジタル音声信号のみがＤＳＰ６に供給される。
【００２６】
ＤＳＰ６は、デジタル音声セレクタ２、または、Ａ／Ｄコンバータ５から供給されたデジタル音声信号に対して、ユーザ操作によって選択されたリスニングモードに応じて、所定の音声処理を実行し、Ｄ／Ａコンバータ７に供給する。所定の音声処理とは、例えば、遅延処理、イコライザ処理、残響処理、又は、前方左音声信号ＦＬ、前方右音声信号ＦＲの２ｃｈ音声信号から、サラウンド音声信号（例えば、中央音声信号Ｃ、サラウンド左音声信号ＳＬ、サラウンド右音声信号ＳＲ、サブウーファ音声信号ＳＷ等）を生成する処理などである。
【００２７】
Ｄ／Ａコンバータ７は、ＤＳＰ６から供給されたデジタル音声信号をアナログ音声信号にＤＡ変換し、増幅部８に供給する。増幅部８は、Ｄ／Ａコンバータ７から供給された音声信号を増幅し、スピーカー出力端子９を介して、メインスピーカー３０に出力する。Ｄ／Ａコンバータ７、増幅部８、および、スピーカー出力端子９は、複数チャンネル分（例えば、前方左音声信号ＦＬ、前方右音声信号ＦＲ、中央音声信号Ｃ、サラウンド左音声信号ＳＬ、サラウンド右音声信号ＳＲ、サブウーファ音声信号ＳＷに対して）設けられている。また、Ｄ／Ａコンバータ７は、上記複数チャンネルの音声信号のうち、前方左音声信号ＦＬ、前方右音声信号ＦＲをスイッチ部１６に供給する。
【００２８】
アナログ音声セレクタ４は、アナログ音声入力端子ＩＮ３に入力されたアナログ音声信号、および、アナログ音声入力端子ＩＮ４に入力されたアナログ音声信号の中から、ユーザ操作に応じて、１つのアナログ音声信号（前方左音声信号ＦＬ、および、前方右音声信号ＦＲ）を選択し、スイッチ部１６に供給する。
【００２９】
スイッチ部１６は、アナログ音声セレクタ４から供給されたアナログ音声信号、及び、Ｄ／Ａコンバータ７から供給されたアナログ音声信号のうち、制御部１２からの指示に応じて、一方のアナログ音声信号（前方左音声信号ＦＬ、および、前方右音声信号ＦＲ）を選択し、増幅部１０に供給する。
【００３０】
増幅部１０は、スイッチ部１６から供給された音声信号を増幅し、スピーカー出力端子１１を介して、ＺＯＮＥ２スピーカー４０に音声信号を出力する。増幅部１０、および、スピーカー出力端子１１は、代表的には、前方左音声信号ＦＬ、および、前方右音声信号ＦＲに対して設けられており、各チャンネルの音声信号を増幅し、各チャンネルの用のＺＯＮＥ２スピーカー４０に音声信号を出力する。
【００３１】
制御部１２は、メモリ（ＲＯＭ、ＲＡＭ、フラッシュメモリ等）に格納されているＡＶアンプ１の動作プログラムに基づいて、ＡＶアンプ１の各部を制御するものであり、マイコンやＣＰＵ等である。表示部１４は、ＡＶアンプ１の動作状態（ボリューム値、セレクタ、リスニングモード）等を表示するものであり、ＬＣＤやＦＬ管等である。操作部１５は、ユーザ操作が入力されるものであり、操作ボタンやリモコン送受信機等である。
【００３２】
制御部１２は、ユーザ操作に応じて、メインスピーカー３０に出力する音声信号（メインセレクタという。）、および、ＺＯＮＥ２スピーカー４０に出力する音声信号（ＺＯＮＥ２セレクタという。）を個別に選択する。つまり、メインスピーカー３０に出力する音声信号、および、ＺＯＮＥ２スピーカー４０に出力する音声信号を異ならせることができる。例えば、メインスピーカー３０にはＢＤプレーヤ２０Ａから供給されるデジタル音声信号またはアナログ音声信号に基づいた音声信号を出力し、ＺＯＮＥ２スピーカー４０にはＢＤプレーヤ２０Ｂから供給されるアナログ音声信号に基づいた音声信号を出力することができる。
【００３３】
また、制御部１２は、ユーザ操作に応じて、ＺＯＮＥ２セレクタとして“SOURCE”を選択することもできる。SOURCEは、ＺＯＮＥスピーカー４０に出力する音声信号を、メインスピーカー３０に出力する音声信号と同じにすること意味する。つまり、SOURCEは、メインセレクタが選択するＢＤプレーヤ２０と同じＢＤプレーヤ２０からの音声信号を、ＺＯＮＥ２スピーカー４０にも出力することを意味する。例えば、メインセレクタとしてＢＤプレーヤ２０Ａデジタル音声信号またはアナログ音声信号が選択されており、メインスピーカー３０にＢＤプレーヤ２０Ａから供給されたデジタル音声信号またはアナログ音声信号に基づく音声信号を出力する場合、ＺＯＮＥ２スピーカー４０にも、ＢＤプレーヤ２０Ａから供給されるアナログ音声信号に基づく音声信号を出力する。
【００３４】
制御部１２は、ユーザ操作に応じて、複数のリスニングモードの中から１つのリスニングモードを選択し、選択されたリスニングモードに応じた音声処理を実行するように、ＤＳＰ６を制御する。
【００３５】
制御部１２は、スイッチ部１６の選択状態を制御する。詳細には、制御部１２は、リスニングモードとしてパーティーモード以外のモードが選択された場合、又は、ＺＯＮＥ２セレクタとしてSOURCE以外が選択された場合、スイッチ部１６にアナログ音声セレクタ４から供給されるアナログ音声信号を選択させる。これにより、メインスピーカー３０に出力する音声信号とは無関係に、ＺＯＮＥ２用スピーカー４０に、ＢＤプレーヤ２０Ａ、２０Ｂから供給されるアナログ音声信号のうち、ユーザ操作によって選択された音声信号を出力することができる。
【００３６】
一方、制御部１２は、リスニングモードとしてパーティーモードが選択され、かつ、ＺＯＮＥ２セレクタとしてSOURCEが選択された場合、スイッチ部１６にＤ／Ａコンバータ７からのアナログ音声信号を選択させる。これにより、ＺＯＮＥ２用スピーカー４０には、メインスピーカー３０に出力される音声信号と同一の音声信号が出力される。また、メインスピーカー３０に出力される音声信号はＤＳＰ６で音声処理が実行され、ＺＯＮＥ２スピーカー４０に出力される音声信号も同じＤＳＰ６で同じ音声処理が実行される。従って、メインスピーカー３０に出力される音声信号がＺＯＮＥ２スピーカー４０に出力される音声信号に対して遅延が生じることを防止することができる。
【００３７】
以下、本発明のＡＶアンプ１の動作を説明する。図２は、制御部１２の処理を示すフローチャートである。制御部１２は、ＺＯＮＥ２セレクタとしてSOURCEが選択されているか否かを判断する（Ｓ１）。つまり、ＺＯＮＥ２スピーカー４０にメインスピーカー３０と同じＢＤプレーヤ２０からの音声信号を出力するように設定されているか否かを判断する。
【００３８】
ＺＯＮＥ２セレクタとしてSOURCEが選択されていない場合（Ｓ１でＮＯ）、例えば、ＢＤプレーヤ２０Ｂのアナログ音声信号が選択されている場合、制御部１２は、スイッチ部１６にアナログ音声セレクタ４から出力される音声信号を選択させる（Ｓ２）。従って、ＢＤプレーヤ２０Ｂからのアナログ音声信号（前方左音声信号ＦＬ、前方右音声信号ＦＲ）が、アナログ音声入力端子ＩＮ４、アナログ音声セレクタ４、および、スイッチ部１６を介して増幅部１０に供給される。増幅部１０は、供給された音声信号を増幅し、スピーカー出力端子１１を介してＺＯＮＥ２スピーカー４０に出力する。
【００３９】
なお、このとき、メインセレクタとしてＢＤプレーヤ２０Ａのデジタル音声信号が選択されている場合、ＢＤプレーヤ２０Ａからのデジタル音声信号が、デジタル音声入力端子ＩＮ１、デジタル音声セレクタ２、ＤＳＰ６、および、Ｄ／Ａコンバータ７を介して増幅部８に供給される。増幅部８は、供給された音声信号を増幅し、スピーカー出力端子９を介してメインスピーカー３０に出力する。このように、メインスピーカー３０と、ＺＯＮＥ２スピーカー４０とに、異なるＢＤプレーヤ２０からの音声信号が出力される。
【００４０】
Ｓ１において、ＺＯＮＥ２セレクタとしてSOURCEが選択されている場合（Ｓ１でＹＥＳ）、制御部１２は、リスニングモードとしてパーティーモードが選択されているか否かを判断する（Ｓ３）。
【００４１】
パーティーモード以外のモードが選択されている場合（Ｓ３でＮＯ）、制御部１２は、スイッチ部１６にアナログ音声セレクタ４から出力される音声信号を選択させる（Ｓ２）。従って、例えば、メインセレクタとしてＢＤプレーヤ２０Ａのデジタル音声信号またはアナログ音声信号が選択されている場合、ＢＤプレーヤ２０Ａからのアナログ音声信号（前方左音声信号ＦＬ、前方右音声信号ＦＲ）が、アナログ音声入力端子ＩＮ３、アナログ音声セレクタ４、および、スイッチ部１６を介して増幅部１０に供給される。増幅部１０は、供給された音声信号を増幅し、スピーカー出力端子１１を介してＺＯＮＥ２スピーカー４０に出力する。
【００４２】
なお、このとき、メインスピーカー３０に対しては、ＢＤプレーヤ２０Ａからのデジタル音声信号が、デジタル音声入力端子ＩＮ１、デジタル音声セレクタ２、ＤＳＰ６、および、Ｄ／Ａコンバータ７を介して増幅部８に供給される。増幅部８は、供給された音声信号を増幅し、スピーカー出力端子９を介してメインスピーカー３０に出力する。または、メインスピーカー３０に対しては、ＢＤプレーヤ２０Ａからのアナログ音声信号が、アナログ音声入力端子ＩＮ３、アナログ音声セレクタ３、Ａ／Ｄコンバータ５、ＤＳＰ６、および、Ｄ／Ａコンバータ７を介して増幅部８に供給される。増幅部８は、供給された音声信号を増幅し、スピーカー出力端子９を介してメインスピーカー３０に出力する。このように、メインスピーカー３０と、ＺＯＮＥ２スピーカー４０とには、同じＢＤプレーヤ２０Ａからの同じ音声信号が出力されるが、メインスピーカー３０に対してはＤＳＰ６で音声処理が実行された音声信号が出力され、ＺＯＮＥ２スピーカー４０に対してはＤＳＰ６で音声処理が実行されていない音声信号が出力される。
【００４３】
Ｓ３において、パーティーモードが選択されている場合（Ｓ３でＹＥＳ）、制御部１２は、スイッチ部１６にＤ／Ａコンバータ７から供給される音声信号を選択させる（Ｓ４）。従って、例えば、メインセレクタとしてＢＤプレーヤ２０Ａのデジタル音声信号が選択されている場合、ＢＤプレーヤ２０Ａからのデジタル音声信号が、デジタル音声入力端子ＩＮ１、デジタル音声セレクタ２、ＤＳＰ６を介してＤ／Ａコンバータ７に供給される。Ｄ／Ａコンバータ７においてＤＡ変換された上記複数チャンネルのアナログ音声信号のうち、前方左音声信号ＦＬ、および、前方右音声信号ＦＲが、スイッチ部１６を介して増幅部１０に供給される。増幅部１０は、供給された音声信号を増幅し、スピーカー出力端子１１を介してＺＯＮＥ２スピーカー４０に出力する。
【００４４】
なお、このとき、メインスピーカー３０に対しては、ＢＤプレーヤ２０Ａからのデジタル音声信号が、デジタル音声入力端子ＩＮ１、デジタル音声セレクタ２、ＤＳＰ６、および、Ｄ／Ａコンバータ７を介して増幅部８に供給される。増幅部８は、供給された音声信号を増幅し、スピーカー出力端子９を介してメインスピーカー３０に出力する。このように、メインスピーカー３０と、ＺＯＮＥ２スピーカー４０とには、同じＢＤプレーヤ２０Ａからの同じ音声信号が出力され、かつ、メインスピーカー３０に出力される音声信号に対してＤＳＰ６で音声処理が実行され、ＺＯＮＥ２スピーカー４０に出力される音声信号に対してもＤＳＰ６で音声処理が実行される。従って、メインスピーカー３０に出力される音声信号が、ＺＯＮＥ２スピーカー４０に出力される音声信号に対して遅延が生じることを防止することができる。
【００４５】
以上、本発明の好ましい実施形態を説明したが、本発明はこれらの実施形態には限定されない。例えば、ＡＶアンプ１は、メインルーム用および／またはＺＯＮＥ２用にプリアウト出力端子を設けており、増幅部８および増幅部９によって増幅する前のアナログ音声信号がプリアウト出力端子から出力されてもよい。この場合、メインスピーカー３０および／またはＺＯＮＥ２スピーカー４０の前段には別途増幅部が接続される、又は、メインスピーカー３０および／またはＺＯＮＥ２スピーカー４０として増幅部内蔵のスピーカーが使用される。また、図２において、Ｓ１の処理を省略し、単にリスニングモードがパーティーモードである場合にＳ４に進み、そうでない場合にＳ２に進むようにしてもよい。デジタル音声入力端子ＩＮ１、ＩＮ２は、映像データと音声データとを含むＨＤＭＩデータを受信するＨＤＭＩ入力端子や、その他の規格の入力端子でもよい。また、ＢＤプレーヤの代わりに、ＤＶＤプレーヤ、ＣＤプレーヤ、ゲーム機等の他のコンテンツ再生装置が適用されてもよい。また、上記のＡＶアンプ１の制御部１２の処理をコンピュータに実行させるためのプログラムおよびこれを記録した記録媒体という形態で提供されてもよい。
【産業上の利用可能性】
【００４６】
本発明は、ＡＶアンプに好適に採用され得る。
【符号の説明】
【００４７】
１              ＡＶアンプ
２              デジタル音声セレクタ
３              アナログ音声セレクタ
４              アナログ音声セレクタ
５              Ａ／Ｄコンバータ
６              ＤＳＰ
７              Ｄ／Ａコンバータ
８              増幅部
９              スピーカー出力端子（メイン用）
１０            増幅部
１１            スピーカー出力端子（ＺＯＮＥ２用）
１２            制御部
１３            メモリ
１４            表示部
１５            操作部
１６            スイッチ部
２０Ａ          ＢＤプレーヤ
２０Ｂ          ＢＤプレーヤ
３０            メインスピーカー
４０            ＺＯＮＥ２スピーカー
ＩＮ１          デジタル音声入力端子
ＩＮ２          デジタル音声入力端子
ＩＮ３          アナログ音声入力端子
ＩＮ４          アナログ音声入力端子
【図１】
2012015683.tif 000003
【図２】
2012015683.tif 000004
【図３】
2012015683.tif 000005